(57)【特許請求の範囲】
【請求項１】
本体容器の底部から離間配置され上部に置かれた揚げ物に含まれる油を下部へと落下させていく油切り板を含む揚げ物用油切り容器であって、
前記油切り板の上面には前記揚げ物を立ち上げるための支持板を起立させるように取り付けられており、前記油切り板の上に起立させた前記揚げ物を前記支持板の板面に沿って傾斜保持できるように前記板面から突出する突出部を設けられており、
前記油切り板は、凸部及び凹部を互い違いに並ばせ上面視で千鳥状に配列させた凹凸形状を有し、前記凹部の底には油を本体容器の底部に落下させる貫通穴を設けられていることを特徴とする揚げ物用油切り容器。
【発明の詳細な説明】
【技術分野】
【０００１】
本発明は、食用油から取り上げられた揚げ物に吸い込まれている該食用油を脱離させる油切りの処理に使用される油切り容器に関し、特に、速やかに食用油を脱離させ食味を高め得る油切り容器に関する。
【背景技術】
【０００２】
食材に小麦粉や片栗粉などからなる衣を与えて食用油（以下、単に「油」とする。）に投入して調理される唐揚げや、天ぷら、又はフライ、そして、衣を与えずに食材をそのまま油中に投入して調理される素揚げなど、これらを総称した揚げ物において、油から取り出された直後、特に、衣に油が多く吸い込まれており、食味を高めるためには、より速やかにこれら余分な油を脱離させる油切りの処理が重要となる。ここで、油切りの方法としては、油から取り出された揚げ物を網板の上に載せて、網目を介して吸い込まれた油を該網板の下部に重力落下させる方法が一般的に行われている。一方、油を吸収する目の細かい不織布などに揚げ物を包み、毛管現象を利用して該不織布に油を速やかに移動させる方法なども知られている。
【０００３】
ところで、油切りには一定の時間を必要とし、調理の効率上、揚げ物をそのままの状態に放置させつつも、吸い込まれた油を速やかに脱離できる方法が好ましく、かかる方法を実現するための油切り容器が提案されている。
【０００４】
例えば、特許文献１では、網板の上に揚げ物、特に、フライを安定した姿態で平置きさせるのではなく、起立させるように保持させて油切りの処理を速やかに行い得る油切り容器が開示されている。かかる油切り容器は、揚げ物から脱離してくる油の受け皿となる皿状容器内に網板を配置させ、該網板には略上方に向けて伸びる倒立背板が着脱自在に組み合わせられており、網板上の揚げ物を倒立背板に立て掛けて起立保持させ得るようになっている。揚げ物の衣に吸い込まれた油は、重力により、衣の内部を介して網板に接した低部へと集まる。揚げ物を起立させることで油はより狭い範囲に集中的に集められるため、衣からより脱離しやすくなり、スムーズに衣から脱離し、網板を介して皿状容器に回収されるのである。
【０００５】
また、特許文献２でも、揚げ物（天ぷら）を受け網の上に起立保持させる天ぷら受け網が開示されている。かかる天ぷら受け網は、底網の上に上部から見てコ字形に整形された枠を取り付けてあり、この枠の中に天ぷらを立て掛けるようにして起立保持させ得るようになっている。
【先行技術文献】
【特許文献】
【０００６】
【特許文献１】特開２００４−７３３０７号公報
【特許文献２】実全昭５９−１５５０４０号公報
【発明の概要】
【発明が解決しようとする課題】
【０００７】
上記したように、取り上げられた揚げ物に吸い込まれている油を速やかに脱離させる油切りの処理に使用される油切り容器が求められている。ここで、食味を高めるように油切り処理するには、揚げ物を起立させつつ、揚げ物の底部（低部）に集まった油を速やかに、揚げ物の外部に脱離させることが好ましい。
【０００８】
本発明は、上記したような状況に鑑みてなされたものであって、その目的とするところは、油から取り出された揚げ物から速やかに油を脱離させその食味を高め得る油切り容器を提供することにある。
【課題を解決するための手段】
【０００９】
本発明の揚げ物用油切り容器は、本体容器の底部から離間配置され上部に置かれた揚げ物に含まれる油を下部へと落下させていく油切り板を含む揚げ物用油切り容器であって、前記油切り板の上面には前記揚げ物を立ち上げるための支持板を起立させるように取り付けられており、前記支持板には起立させた前記揚げ物が板面に沿って傾斜保持できるようにする突出部を設けられていることを特徴とする。
【００１０】
かかる発明によれば、支持板と突出部により、揚げ物を支持板の板面に沿って傾斜保持することで、揚げ物を起立させつつ揚げ物の底部に集まった油を速やかに脱離することが出来る。
【００１１】
上記した発明において、前記油切り板には、前記揚げ物の起立を維持する凹凸が設けられていることを特徴としてもよい。かかる発明によれば、油切り板の凹凸が滑り止めとなって揚げ物の起立を確実に維持できて、揚げ物から速やかに油を離脱できる。
【００１２】
上記した発明において、前記凹凸の底部に油を背面側に落下させる貫通穴が設けられていることを特徴としてもよい。かかる発明によれば、揚げ物から離脱した油を背面側の本体容器に速やかに落下させることで、揚げ物からさらに速やかに油を離脱できる。
【図面の簡単な説明】
【００１３】
【図１】本発明による１つの実施例における油切り容器の斜視図である。
【図２】図１に示した油切り容器のＡ―Ａ′断面図である。
【図３】油切り板の部分拡大斜視図である。
【図４】図３に示した油切り板のＢ―Ｂ′断面図である。
【発明を実施するための形態】
【００１４】
以下に、本発明による揚げ物用油切り容器の１つの実施例について、図１乃至図４を用いて説明する。
【００１５】
図１及び２に示すように揚げ物用の油切り容器５０は、上面の開口した略直方体形状を有する浅底の本体容器１０と、本体容器１０の底部１１の上に載置された湯切り板２０と、湯切り板２０に対して起立するように取り付けられた支持板３０とを含む。
【００１６】
本体容器１０は、例えばステンレスなどの金属からなる皿状の容器であって、油切り板２０上に置かれた揚げ物４０から油切り板２０を介して落下した油を受ける受け皿とされる。油切り板２０は、本体容器１０の底部１１を覆うように略水平に延びるように底部１１から離間配置されて、揚げ物４０をその上部に置くことができる。
【００１７】
支持板３０は、例えばステンレスなどの金属からなる略長方形の板状体であって、その長辺を油切り板２０の長辺に略平行にするようにして油切り板２０に対し起立するよう取り付けられる。ここで、支持板３０は油切り板２０の上面２１に対して傾斜を有し、上面２１となす角を鈍角とする側の面に突出部３１を設けている。突出部３１は、支持板３０の上方（油切り板２０から離間する）側に支持板３０の面に対して垂直に延びるように取り付けられた板状片である。
【００１８】
油切り板２０は、例えばステンレスなどの金属からなる板状体であり、略水平に延びるよう配置される。油切り板２０は、その下面２２から下方に向けて延びる足部２６を備え、足部２６によって本体容器１０の底部１１に対して上方に離間して載置される。油切り板２０の上には揚げ物４０を置くことができ、揚げ物４０に含まれる油を油切り板２０の背面側の下部へと落下させていくよう貫通穴が設けられる。
【００１９】
詳細には、図３及び４に示すように、油切り板２０には上面２１に突出する凸部２３及び上面２１側から凹んだ凹部２４が設けられており、凹部２４の底には下方に向けた貫通穴２５を備える。凸部２３及び凹部２４は互い違いに並び上面視で千鳥状になるよう配列されている。つまり、凸部２３と凹部２４とはそれぞれの前後左右に他方を配置した配列とされている。さらに、凹部２４の底には下面２２へ向けて貫通する貫通穴２５を備える。これによって、油切り板２０は、揚げ物４０からの油を上面２１で受けて凹部２４に導き、貫通穴２５から下方の本体容器１０へ向けて落下させることができる。
【００２０】
次に、揚げ物用の油切り容器５０の使用方法について、図２を参照しつつ説明する。
【００２１】
図２で示したように、揚げ終わって油から取り出された揚げ物４０を、支持板３０の板面に立て掛けるように起立させて油切り板２０の上部に置く。このとき、突出部３１は揚げ物４０の側面に当接し、揚げ物４０が板面に沿って支持板３０の長辺方向へ滑るのを防ぐ。これにより、揚げ物４０は支持板３０の板面に沿って傾斜保持されながら起立状態を安定して維持される。
【００２２】
起立した姿勢の揚げ物４０に含まれる油は重力によって揚げ物４０の側面や内部を伝わって下方へ向けて流れ、揚げ物４０の底部（低部）へと集まる。そして、底部の面積の小さな底面に集まった油は、より大きな油滴となり容易に落下するようになる。つまり、油を油切り板２０に向けて速やかに脱離することができる。そして、脱離された油は、油切り板２０の凹部２４に設けられた貫通穴２５を通って本体容器１０の底部１１へ向けて落下する。
【００２３】
ここで、揚げ物４０の置き方には様々な向きが考えられるが、油滴の速やかな脱離だけを考えれば、最も面積の小さい面を底面に位置させることが好ましい。実際には、揚げ物４０の形状を崩さずに起立姿勢を維持できる範囲で向きを選択するとよい。なお、起立させるということは、比較的面積の小さな面を下に向けて底面とした姿勢にするということである。そのため、面積の小さな面に油を集めて大きな油滴を形成させることができ、油を速やかに脱離させることができる。
【００２４】
図２において揚げ物４０としてエビフライを例としているが、とんかつ、コロッケやかき揚げなどでもよい。支持板３０や突出部３１の設置間隔や設置枚数は、揚げ物４０の種類や個数などを考慮して設定されることが好ましい。
【００２５】
また、油切り板２０には凸部２３及び凹部２４からなる凹凸が設けられている。揚げ物４０を起立させてその姿勢を不安定にしたとしても、例えば凸部２３の傾斜面に揚げ物４０の底面の側部を当接させるなどして、凸凹を滑り止めとし得る。これによって、揚げ物４０が支持板３０や突出部３１から離間する方向に底面を滑らせることを防止でき、起立姿勢の維持を容易とする。
【００２６】
揚げ物４０の底面から離脱された油は、油切り板２０に設けられた貫通穴２５によって本体容器１０の底部１１へと落下する。ここで油切り板２０は足部２６により底部１１から離間配置されているため、底部１１に落下した油によって貫通穴２５の油の通過を阻害されることもない。
【００２７】
以上のように、油切り容器５０は、支持板３０と突出部３１とにより、揚げ物４０を支持板３０の板面に沿って傾斜保持することで、揚げ物４０を起立させつつ揚げ物４０の底部に集まった油を速やかに脱離することが出来て、その食味を高め得る。
【００２８】
以上、本発明による実施例を説明したが、本発明は必ずしもこれに限定されるものではなく、当業者であれば、本発明の主旨又は添付した特許請求の範囲を逸脱することなく、様々な代替実施例及び改変例を見出すことができるであろう。
【符号の説明】
【００２９】
１０  本体容器
１１  底部
２０  油切り板
２１  上面
２２  下面
２６  足部
３０  支持板
３１  突出部
４０  揚げ物
５０  油切り容器
【要約】      （修正有）【課題】油から取り出された揚げ物から速やかに食用油を脱離させ食味を高め得る油切り容器を提供する。【解決手段】本体容器１０は、ステンレスなどの金属からなる皿状の容器であって、油切り板２０上に置かれた揚げ物４０から油切り板２０を介して落下した油を受ける受け皿とされる。油切り板２０は、本体容器１０の底部１１を覆うように略水平に延びるように底部１１から離間配置され、揚げ物４０をその上部に置くことができる。支持板３０は金属からなる略長方形の板状体であって、油切り板２０の上面２１に対して傾斜を有し、上面２１となす角を鈍角とする側の面に突出部３１を設けている。【選択図】図２【図１】
0006770627.tif 000002
【図２】
0006770627.tif 000003
【図３】
0006770627.tif 000004
【図４】
0006770627.tif 000005